(57)【要約】【課題】空気調和機の省エネ方法は、通常モードと省エネモードを切り替えＳＷで選択し、省エネモードの時に、外気温度と一義的に決められた基準外気温度とを入力とし、これらの偏差から設定温度を決定していることから、低外気温度で室内負荷の大きい冷房運転時や高外気温度で室内負荷の大きい暖房運転時に、いつまでも希望する設定温度に到達しない、また、要求負荷に応じた空気調和が出来なかった。【解決手段】ユーザーがリモコン６から能力可変圧縮機１の周波数の上限値を設定することができるようにすることで、ユーザーが希望するリモコン設定温度や室内要求負荷に応じた空気調和が行え、かつ、省エネ効果をもたらすことが可能となる。【選択図】図１
2008075979.tif 000002
【特許請求の範囲】
【請求項１】
能力可変型圧縮機を有する室外機と、この室外機と室内機とを接続する通信線と、前記能力可変型圧縮機の周波数の上限値を設定する上限周波数設定手段を有するリモコンとを備え、前記上限周波数設定手段を有するリモコンから、前記能力可変圧縮機の周波数の上限値を設定することを特徴とする空気調和機のリモコン。
【請求項２】
上限周波数設定手段を有するリモコンに、能力可変圧縮機の周波数の上限値を設定時に表示することができる表示手段を備えたことを特徴とする請求項１に記載の空気調和機のリモコン。
【請求項３】
上限周波数設定手段を有するリモコンに、上限周波数のレベルを設定することができるレベル設定手段を備えたことを特徴とする請求項１に記載の空気調和機のリモコン。
【発明の詳細な説明】
【技術分野】
【０００１】
本発明は、リモコンから空気調和機の能力可変圧縮機の周波数の上限値を設定し、省エネ効果を得る空気調和機のリモコンに関する。
【背景技術】
【０００２】
従来の空気調和機の省エネ方法は、通常モードと省エネモードを切り替えＳＷで選択し、省エネモードの時に、外気温度と一義的に決められた基準外気温度とを入力とし、これらの偏差から設定温度を決定している（例えば、特許文献１参照）。
【０００３】
図４のフローチャートは特許文献１に記載された従来の空気調和機の接続異常制御を示すものである。図４のフローチャートに示すように、省エネモード判定手段１０１と、温度設定手段１０２と、外気温度入力手段１０３と、運転モード判定手段１０４と、一義的に定められた外気温度と現在の外気温度を比較する冷房時比較手段１０６、暖房時比較手段１１０と、外気温度より一義的に外気温度−５Ｋと定める冷房時温度設定手段１０５、外気温度＋５Ｋと定める暖房時温度設定手段１０９と、冷房時比較手段１０６で一義的に定められた外気温度より高いと判断した時温度設定を決定する手段１０８と、暖房時比較手段１１０で一義的に定められた外気温度より低いと判断した時温度設定を決定する手段１１１と、設定温度に応じた圧縮機制御１１３とから構成されており、省エネモードの突入をＳＷによって行い、省エネモードの時に、現在の外気温度を入力として設定温度を決定している。
【特許文献１】特開平６−７４５１９号公報
【発明の開示】
【発明が解決しようとする課題】
【０００４】
しかしながら、前記従来の構成では、一義的に定められた外気温度しきい値より現在の外気温度状態から設定温度を決定していることから、低外気温度で室内負荷の大きい冷房運転時や高外気温度で室内負荷の大きい暖房運転時に、いつまでも希望する設定温度に到達しない、また、要求負荷に応じた空気調和が出来ないという課題を有していた。
【０００５】
本発明は、前記従来の課題を解決するもので、ユーザーがリモコンから能力可変圧縮機の周波数の上限値を設定することができ、ユーザーが希望するリモコン設定温度や室内要求負荷に応じた空気調和が行え、かつ、省エネ効果をもたらす空気調和機を提供することを目的とする。
【課題を解決するための手段】
【０００６】
前記従来の課題を解決するために、本発明の空気調和機は、能力可変型圧縮機を有する室外機と、室外機と室内機とを接続する通信線で接続し、能力可変型圧縮機の周波数の上限値を設定する上限周波数設定手段を有するリモコンから、能力可変圧縮機の周波数の上限値を設定することで省エネ運転を行うことを特徴としたものである。
【０００７】
これによって、上限周波数設定時に、ユーザーが希望する上限周波数までの運転しかしないので、能力可変型圧縮機運転周波数を低下することで省エネ効果をもたらすことができる。
【発明の効果】
【０００８】
本発明の空気調和機は、上限周波数設定時に、ユーザーが希望する上限周波数までの運転しかしないので、能力可変型圧縮機運転周波数を低下することで省エネ効果をもたらす
ことができる。
【発明を実施するための最良の形態】
【０００９】
第１の発明は、能力可変型圧縮機を有する室外機と、室外機と室内機とを通信線とで接続し、能力可変型圧縮機の周波数の上限値を設定する上限周波数設定手段を有するリモコンとから構成される空気調和機とすることにより、ユーザーが上限周波数設定手段により設定した上限周波数までの運転しかしないので、能力可変型圧縮機運転周波数を低下することで省エネ効果をもたらすことができる。
【００１０】
第２の発明は、特に第１の発明の上限周波数設定手段を有するリモコンに、上限周波数設定中であることを表示することができる、表示手段を備えたことにより、ユーザーに上限周波数を設定したことを知らせる事ができる。
【００１１】
第３の発明は、特に第１の発明の上限周波数設定手段を有するリモコンに、上限周波数のレベルを設定することができるレベル設定手段を備えたことにより、ユーザーが上限周波数のレベルを設定することができ、省エネ効果のレベルを設定する事ができる。
【００１２】
（実施の形態１）
図１は、本発明の実施の形態１における空気調和機の構成ブロック図である。同図の空気調和機のシステムにおいて、能力可変型圧縮機１を有する室外機２と、室外機２と通信線３で接続された室内機４と、空気調和機を操作する上限周波数設定手段５を備えたリモコン６とから構成されている。
【００１３】
以上のように構成された空気調和機のリモコンについて、以下その動作、作用を説明する。
【００１４】
まず空気調和機のリモコン６に搭載された上限周波数設定手段５から能力可変型圧縮機１の上限周波数を設定されると、室内機２から通信線３を介して、能力可変型圧縮機１を有する室外機４に設定され、能力可変型圧縮機１の周波数の上限値を設定される。
【００１５】
以上のように上限周波数設定手段５から、能力可変型圧縮機１の上限周波数を設定さると、ユーザーが希望する上限周波数までの運転しかしないので、能力可変型圧縮機１の運転周波数を低下することで省エネ効果をもたらすことができるものである。
【００１６】
（実施の形態２）
図２は、本発明の第２の実施の形態の空気調和機の構成ブロック図である。本発明の第１の実施の形態で示した空気調和機のリモコンに表示手段７を構成した空気調和機のリモコンである。
【００１７】
以上のように構成された空気調和機のリモコンについて、以下その動作、作用を説明する。
【００１８】
まず、空気調和機のリモコン６に搭載された上限周波数設定手段５から能力可変型圧縮機１の上限周波数を設定されると、上限周波数設定中であることを表示手段７により、表示させることができる。
【００１９】
以上のように表示手段７を備えたことにより、ユーザーに上限周波数を設定したことを知らせる事ができるものである。
【００２０】
（実施の形態３）
図３は、本発明の第３の実施の形態の空気調和機の構成ブロック図である。本発明の第１の実施の形態で示した空気調和機のリモコン６にレベル設定手段８構成した空気調和機のリモコンである。
【００２１】
以上のように構成された空気調和機のリモコンについて、以下その動作、作用を説明する。
【００２２】
まず、レベル設定手段８で省エネレベルを設定し、上限周波数設定手段５から能力可変型圧縮機１の上限周波数を設定されると、レベル設定手段８で設定された上限周波数のレベルを設定することができる。
【００２３】
以上のようにレベル設定手段８を備えたことにより、ユーザーが上限周波数のレベルを設定することができ、省エネ効果のレベルを設定する事ができる。
【産業上の利用可能性】
【００２４】
以上のように、本発明にかかる空気調和機のリモコンは、能力可変型圧縮機の周波数の上限値を設定することができるので、ユーザーが希望する上限周波数までの運転しかしないため、能力可変型圧縮機１の運転周波数を低下することで省エネ効果をもたらすことができるものである。
【図面の簡単な説明】
【００２５】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機における構成ブロック図
【符号の説明】
【００２６】
１  能力可変型圧縮機
２  室外機
３  通信線
４  室内機
５  上限周波数設定手段
６  リモコン
７  表示手段
８  レベル設定手段
【図１】
2008075979.tif 000003
【図２】
2008075979.tif 000004
【図３】
2008075979.tif 000005
【図４】
2008075979.tif 000006